(57)【要約】【課題】  設置する位置がフレキシブルに対応できる防護管移動防止具を提供する。【解決手段】  長手方向に沿って切り目１０１が形成される筒状の防護管１００が、装着される電線Ｘに対して変位するのを防止する防護管移動防止具において、電線Ｘに巻かれて固定される電線固定部１と、防護管１００に巻かれて固定される防護管固定部２と、切り目１０１を介して防護管１００の内外にわたって配置され、電線固定部１と防護管固定部２とを連結する連結部３とを備えることを特徴とする。【選択図】  図４
2009296679.tif 000002
【特許請求の範囲】
【請求項１】
長手方向に沿って切り目が形成される筒状の防護管が、装着される電線に対して変位するのを防止する防護管移動防止具において、
電線に巻かれて固定される電線固定部と、防護管に巻かれて固定される防護管固定部と、切り目を介して防護管の内外にわたって配置され、電線固定部と防護管固定部とを連結する連結部とを備えることを特徴とする防護管移動防止具。
【請求項２】
電線固定部は、弾性を有し、伸ばされて電線に巻かれることにより固定されると共に、防護管固定部は、弾性を有し、伸ばされて防護管に巻かれることにより固定される請求項１に記載の防護管移動防止具。
【請求項３】
全体が長尺な帯状又は紐状に形成され、電線固定部は、長手方向の一方側に配置されると共に、電線に巻かれる状態を維持すべく、所定の部位同士を固定する第１固定手段が設けられ、防護管固定部は、長手方向の他方側に配置され、防護管に巻かれる状態を維持すべく、所定の部位同士を固定する第２固定手段が設けられ、連結部は、電線固定部と防護管固定部との間に配置される請求項１又は２に記載の防護管移動防止具。
【請求項４】
全体が長尺な帯状又は紐状に形成され、電線固定部は、長手方向の中間部に配置されると共に、電線に巻かれる状態を維持すべく、所定の部位同士を固定する第１固定手段が設けられ、防護管固定部は、長手方向において電線固定部を挟む二つの部位から構成されると共に、防護管に巻かれる状態を維持すべく、当該二つの部位同士を固定する第２固定手段が設けられ、連結部は、防護管固定部を構成する各部位と電線固定部との間にそれぞれ配置される請求項１又は２に記載の防護管移動防止具。
【請求項５】
第１固定手段及び第２固定手段は、固定する状態と固定を解除する状態とを切り替え可能に構成される請求項３又は４に記載の防護管移動防止具。
【発明の詳細な説明】
【技術分野】
【０００１】
本発明は、防護管が電線に対して変位するのを防止する防護管移動防止具に関する。
【背景技術】
【０００２】
従来、架空電線付近で作業が行われる場合、作業用設備が電線に接触して電線を損傷したり、作業者が作業中に電線に触れて感電したりするのを防止するため、電線に防護管（一般的に「ポリ管」とも呼ばれる）が装着される。そして、防護管が電線に対して変位するのを防止する防護管移動防止具として、防護管の端部と電線とを挟み込む防護管移動防止具が知られている（例えば、特許文献１）。
【特許文献１】特開２０００−２１７２３４号公報
【発明の開示】
【発明が解決しようとする課題】
【０００３】
しかしながら、かかる防護管移動防止具は、防護管の端部に設置する必要があるため、設置する位置に制約がある。したがって、例えば、高所作業車のバケット内で作業を行う場合においては、防護管に電線を装着する（防護管の内部に電線を挿通させる）作業を行う際のバケットの位置と、かかる防護管移動防止具を設置する作業を行う際のバケットの位置とが異なることがあるため、バケットを移動するといった煩雑な作業が必要となる。
【０００４】
よって、本発明は、かかる事情に鑑み、設置する位置がフレキシブルに対応できる防護管移動防止具を提供することを課題とする。
【課題を解決するための手段】
【０００５】
本発明に係る防護管移動防止具は、長手方向に沿って切り目が形成される筒状の防護管が、装着される電線に対して変位するのを防止する防護管移動防止具において、電線に巻かれて固定される電線固定部と、防護管に巻かれて固定される防護管固定部と、切り目を介して防護管の内外にわたって配置され、電線固定部と防護管固定部とを連結する連結部とを備えることを特徴とする。
【０００６】
本発明によれば、電線固定部が電線に巻かれることにより電線に固定されると共に、防護管固定部が防護管に巻かれることにより防護管に固定される。そして、連結部が切り目を介して防護管の内外にわたって配置された状態で電線固定部と防護管固定部とを連結するため、電線固定部と防護管固定部とが電線や防護管に固定された状態にて相対変位するのを防止できる。したがって、防護管の長手方向における何れの位置に設置しても、装着される電線に対して防護管が変位するのを防止できる。
【０００７】
また、本発明に係る防護管移動防止具は、電線固定部は、弾性を有し、伸ばされて電線に巻かれることにより固定されると共に、防護管固定部は、弾性を有し、伸ばされて防護管に巻かれることにより固定されてもよい。
【０００８】
かかる構成によれば、弾性を有する電線固定部が伸ばされた状態で電線に巻かれているため、縮もうとする弾性力により径方向内向きの力が発生し、その結果、電線に固定される。また、弾性を有する防護管固定部が伸ばされた状態で防護管に巻かれているため、縮もうとする弾性力により径方向内向きの力が発生し、その結果、防護管に固定される。したがって、電線固定部が電線に確実に固定され、防護管固定部が防護管に確実に固定される。
【０００９】
また、本発明に係る防護管移動防止具は、全体が長尺な帯状又は紐状に形成され、電線固定部は、長手方向の一方側に配置されると共に、電線に巻かれる状態を維持すべく、所定の部位同士を固定する第１固定手段が設けられ、防護管固定部は、長手方向の他方側に配置され、防護管に巻かれる状態を維持すべく、所定の部位同士を固定する第２固定手段が設けられ、連結部は、電線固定部と防護管固定部との間に配置されてもよい。
【００１０】
かかる構成によれば、全体が長尺な帯状又は紐状に形成できるため、例えば、簡易な形状とすることができる。したがって、例えば、生産効率や取扱性を向上させることができる。
【００１１】
なお、長手方向の一方側に配置される電線固定部が、第１固定手段により所定の部位同士を固定するため、電線に巻かれる状態を維持できる。そして、長手方向の他端側に配置される防護管固定部が、第２固定手段により所定の部位同士を固定するため、防護管に巻かれる状態を維持できる。さらに、電線固定部と防護管固定部との間に配置される連結部が、電線固定部と防護管固定部とが相対変位するのを防止するため、装着される電線に対して防護管が変位するのを防止できる。
【００１２】
また、本発明に係る防護管移動防止具は、全体が長尺な帯状又は紐状に形成され、電線固定部は、長手方向の中間部に配置されると共に、電線に巻かれる状態を維持すべく、所定の部位同士を固定する第１固定手段が設けられ、防護管固定部は、長手方向において電線固定部を挟む二つの部位から構成されると共に、防護管に巻かれる状態を維持すべく、当該二つの部位同士を固定する第２固定手段が設けられ、連結部は、防護管固定部を構成する各部位と電線固定部との間にそれぞれ配置されてもよい。
【００１３】
かかる構成によれば、全体が長尺な帯状又は紐状に形成できるため、例えば、簡易な形状とすることができる。したがって、例えば、生産効率や取扱性を向上させることができる。
【００１４】
なお、長手方向の中間部に配置される電線固定部が、第１固定手段により所定の部位同士を固定するため、電線に巻かれる状態を維持できる。そして、長手方向において電線固定部を挟む二つの部位から構成される防護管固定部が、第２固定手段により当該二つの部位同士を固定するため、防護管に巻かれる状態を維持できる。さらに、防護管固定部を構成する各部位と電線固定部との間にそれぞれ配置される連結部が、電線固定部と防護管固定部とが相対変異するのを防止するため、装着される電線に対して防護管が変位するのを防止できる。
【００１５】
また、本発明に係る防護管移動防止具は、第１固定手段及び第２固定手段は、固定する状態と固定を解除する状態とを切り替え可能な構成を採用してもよい。
【００１６】
かかる構成によれば、第１固定手段及び第２固定手段が固定する状態と固定を解除する状態とを切り替えることができるため、取り外しが自由にでき、その結果、取扱性を向上させたり、さらに、例えば、再利用したりすることができる。
【発明の効果】
【００１７】
以上の如く、本発明に係る防護管移動防止具によれば、防護管の長手方向における何れの位置に設置しても、装着される電線に対して防護管が変位するのを防止できるため、設置する位置がフレキシブルに対応できるという優れた効果を奏する。
【発明を実施するための最良の形態】
【００１８】
以下、本発明に係る防護管移動防止具における第１の実施形態について、図１〜図４を参酌して説明する。
【００１９】
ここで、防護管移動防止具を説明する前に、電線に装着される防護管について説明する。図１に示すように、防護管１００は、長尺な筒状に形成され、長手方向に沿って切り目（スリット）１０１が形成される。そして、防護管１００は、弾性又は可撓性を有する素材で且つ電気絶縁性材料（例えば合成樹脂）で形成される。
【００２０】
また、防護管１００は、一端側に第１継手１０２が設けられると共に、他端側に他の防護管１００の第１継手１０２と連結可能な第２継手１０３が設けられる。そして、防護管１００は、電線に対して長手方向に複数連結されて装着される場合には、第１継手１０２を、隣接する他の防護管１００の第２継手１０３に連結させる。
【００２１】
さらに、防護管１００は、切り目１０１の両端、即ち、周方向の両端部に、径方向外側に突出する一対の鍔状の端面１０４，１０４が設けられる。そして、防護管１００は、一端側から他端側、即ち、第１継手１０２から第２継手１０３に亘って形成される一対の端面１０４，１０４が電線の外径より大きく離反されるように変形されることにより、電線を内部に挿通でき、電線に装着される。
【００２２】
また、防護管１００は、一対の端面１０４，１０４を貫通する貫通孔１０５，１０５を備える。図１においては、貫通孔１０５は、一対の端面１０４，１０４と重なる各継手１０２（１０３）の部位も含めて貫通して形成されている。そして、防護管１００は、第１継手１０２や第２継手１０３に、環状突起部１０６，…を複数備える。
【００２３】
そして、本実施形態に係る防護管移動防止具は、図２及び図３に示すように、長手方向に沿って切り目１０１が形成される筒状の防護管１００が、装着される電線Ｘに対して変位するのを防止すべく、電線Ｘに巻かれて固定される電線固定部１と、防護管１００に巻かれて固定される防護管固定部２と、切り目１０１を介して防護管１００の内外にわたって配置され、電線固定部１と防護管固定部２とを連結する連結部３とを備える。
【００２４】
また、防護管移動防止具は、全体が長尺な帯状に形成され、そして、長手方向の両端部にそれぞれ把持部４，４が設けられ、さらに、各把持部４と隣接するように、各把持部４に対して長手方向の内側に孔部５が設けられる。
【００２５】
電線固定部１は、帯状に形成されて長手方向の一方側に配置されると共に、弾性を有し、伸ばされて電線Ｘに巻かれることにより固定される。具体的には、電線固定部１は、伸ばされて電線Ｘに巻かれる状態を維持すべく、所定の部位同士を固定する第１固定手段１１が設けられる。
【００２６】
第１固定手段１１は、固定する状態と固定を解除する状態とを切り替え可能に構成される。具体的には、第１固定手段１１は、電線固定部１の長手方向の一端部に配置される第１係止部１１ａと、電線固定部１の長手方向の他端部に配置され、第１係止部１１ａに係止される第１被係止部１１ｂとを備え、第１係止部１１ａが第１被係止部１１ｂに係止したり、当該係止を解除したりすることが可能に構成される。
【００２７】
第１係止部１１ａは、鉤状の突起が一面に設けられる布で形成され、第１被係止部１１ｂは、パイル状の面の布で形成される。即ち、第１固定手段１１は、面ファスナで構成される。なお、第１係止部１１ａ及び第１被係止部１１ｂは、帯状に形成される電線固定部１（防護管移動防止具）の、一方側の面に配設されている。
【００２８】
防護管固定部２は、帯状に形成されて長手方向の他方側に配置されると共に、弾性を有し、伸ばされて防護管１００に巻かれることにより固定される。具体的には、防護管固定部２は、伸ばされて防護管１００に巻かれる状態を維持すべく、所定の部位同士を固定する第２固定手段２１が設けられる。
【００２９】
第２固定手段２１は、固定する状態と固定を解除する状態とを切り替え可能に構成される。具体的には、第２固定手段２１は、帯状に形成される防護管固定部２（防護管移動防止具）における、一方側の面、即ち、第１固定手段１１が配置される側の面に配置される第２係止部２１ａと、他方側の面に配置され、第２係止部２１ａに係止される第２被係止部２１ｂとを備え、第２係止部２１ａが第２被係止部２１ｂに係止したり、当該係止を解除したりすることが可能に構成される。
【００３０】
第２係止部２１ａは、鉤状の突起が一面に設けられる布で形成され、第２被係止部２１ｂは、パイル状の面の布で形成される。即ち、第２固定手段２１も、第１固定手段１１と同様に、面ファスナで構成される。なお、第２係止部２１ａは、長手方向の他端側に設けられ、第２被係止部２１ｂは、長手方向において、第２係止部２１ａと第１固定手段１１（第１係止部１１ａ，第１被係止部１１ｂ）との間に配置されている。
【００３１】
連結部３は、帯状に形成され、電線固定部１と防護管固定部２との間に配置される。そして、連結部３は、弾性を有して形成される。
【００３２】
把持部４は、作業者の手や、作業者が操作する絶縁操作棒（例えば、絶縁ヤットコ）にて、把持可能に構成される。具体的には、把持部４は、剛性を有して形成される。そして、把持部４は、直方体状又は円柱状に形成される（図２及び図３においては、直方体状としている）。
【００３３】
孔部５は、作業者が操作する絶縁操作棒（例えば、絶縁ヤットコ）等にて把持部４を把持する際に、絶縁操作棒の先端部が挿通可能に構成される。具体的には、孔部５は、幅方向の中央部に配設される。そして、孔部５は、矩形状又は円形状に形成される（図２及び図３においては、矩形状としている）
【００３４】
したがって、防護管移動防止具は、帯状のゴムの表面に面ファスナが固定され、さらに、両端部に矩形状（円柱状）の剛体が固定されることにより、形成される。これにより、電線固定部１及び防護管固定部２は、巻かれた際に、電線Ｘや防護管１００との間に強い摩擦力が発生する。
【００３５】
本実施形態に係る防護管移動防止具の構成は以上の通りであり、次に、本実施形態に係る防護管移動防止具の作用について、図４を参酌して説明する。
【００３６】
まず、図４（ａ）に示すように、一方側の面を内側にして電線固定部１を電線Ｘに巻きつける。このとき、弾性を有する電線固定部１を伸ばした状態で、一端部の第１係止部１１ａを他端部の第１被係止部１１ｂに係止させる。即ち、第１係止部１１ａ及び第１被係止部１１ｂの隣接する端部同士の離間距離が、伸ばされる前の状態（付勢されない状態）において、電線Ｘの外周長さより小さく形成されていることになる。
【００３７】
これにより、電線固定部１が伸ばされた状態で電線Ｘに巻かれるため、縮もうとする弾性力により径方向内向きの力が発生し、その結果、電線固定部１が電線Ｘに固定される。さらに、電線固定部１がゴムで形成されているため、電線固定部１と電線Ｘとの間に摩擦力が発生し、より強固に固定される。
【００３８】
次に、図４（ｂ）に示すように、電線固定部１が固定された電線Ｘに防護管１００を装着させる。このとき、防護管１００を変形させ、一対の端面１０４，１０４を、電線固定部１が固定された状態における電線Ｘの外径より大きく離反させることにより、防護管１００の内部に電線Ｘを挿通する。これにより、連結部３が切り目１０１を介して防護管１００の内外にわたって配置される状態となる。
【００３９】
そして、一方側の面を内側にして（図４（ｂ）におけるＣ矢印方向に）、防護管固定部２を防護管１００に巻きつける。このとき、弾性を有する防護管固定部２を伸ばした状態で、一方側の面の第２係止部２１ａを、重なり合う他方側の面の第２被係止部２１ｂに係止させる。
【００４０】
これにより、防護管固定部２が伸ばされた状態で防護管１００に巻かれるため、縮もうとする弾性力により径方向内向きの力が発生し、その結果、防護管固定部２が防護管１００に固定される。さらに、防護管固定部２がゴムで形成されているため、防護管固定部２と防護管１００との間に摩擦力が発生し、より強固に固定される。
【００４１】
なお、電線Ｘから防護管移動防止具や防護管１００を取り外す場合には、第２固定手段２１の固定状態（第２係止部２１ａが第２被係止部２１ｂを係止する状態）を解除させ、防護管１００を電線Ｘから取り外す。そして、第１固定手段１１の固定状態（第１係止部１１ａが第１被係止部１１ｂを係止する状態）を解除させ、防護管移動防止具（電線固定部１）を電線Ｘから取り外すことにより、簡単に行うことができる。
【００４２】
以上より、本実施形態に係る防護管移動防止具は、電線固定部１が電線Ｘに巻かれることにより電線Ｘに固定されると共に、防護管固定部２が防護管１００に巻かれることにより防護管１００に固定され、さらに、連結部３が切り目１０１を介して防護管１００の内外にわたって配置された状態で電線固定部１と防護管固定部２とを連結するため、電線固定部１と防護管固定部２とが電線Ｘや防護管１００に固定された状態にて相対変位するのを防止できる。したがって、防護管１００の長手方向における何れの位置に設置しても、装着される電線Ｘに対して防護管１００が変位するのを防止できるため、設置する位置がフレキシブルに対応できる。
【００４３】
また、上記実施形態に係る防護管移動防止具は、弾性を有する電線固定部１が伸ばされた状態で電線Ｘに巻かれているため、縮もうとする弾性力により径方向内向きの力が発生し、その結果、電線Ｘに固定され、同様に、弾性を有する防護管固定部２が伸ばされた状態で防護管１００に巻かれているため、縮もうとする弾性力により径方向内向きの力が発生し、その結果、防護管１００に固定される。したがって、電線固定部１が電線Ｘに確実に固定され、防護管固定部２が防護管１００に確実に固定される。
【００４４】
また、上記実施形態に係る防護管移動防止具は、全体が長尺な帯状に形成されているため、例えば、簡易な形状とすることができ、その結果、例えば、生産効率を向上させることができる。また、例えば、把持部４を中心に巻くことによりコンパクトにすることもできるため、取扱性（収容性）を向上させることもできる。
【００４５】
また、上記実施形態に係る防護管移動防止具は、第１固定手段１１及び第２固定手段２１が固定する状態と固定を解除する状態とを切り替えることができるため、取り外しが自由にでき、その結果、例えば、再利用することができる。
【００４６】
次に、本発明に係る防護管移動防止具における第２の実施形態について、図５及び図６を参酌して説明する。なお、図５及び図６において、図１〜図４の符号と同一の符号を付した部分は、第１実施形態と同一の構成又は要素を表す。
【００４７】
本実施形態に係る防護管移動防止具は、図５及び図６に示すように、長手方向に沿って切り目１０１が形成される筒状の防護管１００が、装着される電線Ｘに対して変位するのを防止すべく、電線Ｘに巻かれて固定される電線固定部６と、防護管１００に巻かれて固定される防護管固定部７と、切り目１０１を介して防護管１００の内外にわたって配置され、電線固定部６と防護管固定部７とを連結する連結部８とを備える。
【００４８】
そして、防護管移動防止具は、全体が長尺な細長い帯状（紐状）に形成され、電線固定部６は、長手方向の中間部に配置されると共に、電線Ｘに巻かれる状態を維持すべく、所定の部位同士を固定する第１固定手段６１が設けられ、防護管固定部７は、長手方向において電線固定部６を挟む二つの部位７１，７２から構成されると共に、防護管１００に巻かれる状態を維持すべく、当該二つの部位７１，７２同士を固定する第２固定手段７３が設けられ、連結部８，８は、防護管固定部７を構成する各部位７１，７２と電線固定部６との間にそれぞれ配置される。
【００４９】
第１固定手段６１は、帯状の少なくとも一方側の面に複数の突起を有する第１被係止部６１ａと、第１被係止部６１ａを挿入するように筒状に形成され、且つ第１係止部６１ａの突起を係止するための突起を複数有する第１係止部６１ｂとを備える。
【００５０】
そして、第１固定手段６１は、第１係止部６１ｂが所定方向（図５（ｂ）におけるＥ矢印方向）から第１被係止部６１ａを内挿すると共に、第１係止部６１ｂが第１被係止部６１ａを係止することにより、内挿された第１被係止部６１ａが所定方向と反対方向（図５（ｂ）におけるＦ矢印方向）に抜けるのを防止する。
【００５１】
また、第１係止部６１ｂが第１被係止部６１ａを係止するのを解除する、即ち、突起を有する操作片６２を所定方向（図５（ｂ）におけるＧ矢印方向）に回動すると、内挿された第１被係止部６１ａが所定方向と反対方向（図５（ｂ）におけるＦ矢印方向）に抜くことができる。なお、第２固定手段７においても、第１固定手段６と略同様に、第２被係止部７３ａ、第２係止部７３ｂ（何れも図示しない）、及び操作片７４が設けられている。
【００５２】
本実施形態に係る防護管移動防止具の構成は以上の通りであり、次に、本実施形態に係る防護管移動防止具の作用について説明する。
【００５３】
まず、第１被係止部６１ａ（第２被係止部７３ａ）の突起を有する一方側の面を内側にして、電線固定部６を電線Ｘに巻きつける。このとき、第１被係止部６１ａを第１係止部６１ｂに一旦内挿することにより、第１係止部６１ｂが第１被係止部６１ａを係止しているため、第１被係止部６１ａが第１係止部６１ｂから抜けることがない。
【００５４】
また、電線Ｘには、一般的に、外周を被覆する樹脂製の絶縁体が設けられているため、電線固定部６を電線Ｘに強く巻き付けることにより、電線固定部６が電線Ｘの絶縁体（図示及び採番しない）に食い込み、その結果、電線固定部６が電線Ｘにより強固に固定される。
【００５５】
次に、電線固定部６が固定された電線Ｘに防護管１００を装着し、防護管固定部７を防護管１００に巻き付ける。なお、防護管固定部７が防護管１００の貫通孔１０５を挿通するようにして防護管１００に巻き付ける。
【００５６】
このとき、第２被係止部７３ａを第２係止部７３ｂに一旦内挿することにより、第２係止部７３ｂが第２被係止部７３ａを係止しているため、第２被係止部７３ａが第２係止部７３ｂから抜けることがない。
【００５７】
そして、防護管固定部７を防護管１００に強く巻き付けることにより、防護管固定部７が防護管１００に固定される。仮に、防護管１００が電線Ｘに対して相対変位した場合には、防護管固定部７が防護管１００の貫通孔１０５の内縁に当接することにより、防護管１００が電線Ｘに対して所定量以上、電線Ｘ（防護管１００）の長手方向に相対変位するのを防止する。
【００５８】
また、電線Ｘから防護管移動防止具や防護管１００を取り外す場合には、第２固定手段７３の固定状態（操作片７４を操作して、第２係止部７３ｂが第２被係止部７３ａを係止する状態）を解除させ、防護管１００を電線Ｘから取り外す。そして、第１固定手段６１の固定状態（操作片６２を操作して、第１係止部６１ａが第１被係止部６１ｂを係止する状態）を解除させ、防護管移動防止具（電線固定部６）を電線Ｘから取り外すことにより、簡単に行うことができる。
【００５９】
以上より、本実施形態に係る防護管移動防止具は、電線固定部６が電線Ｘに巻かれることにより電線Ｘに固定されると共に、防護管固定部７が防護管１００に巻かれることにより防護管１００に固定され、さらに、連結部８が切り目１０１を介して防護管１００の内外にわたって配置された状態で電線固定部６と防護管固定部７とを連結するため、電線固定部６と防護管固定部７とが電線Ｘや防護管１００に固定された状態にて相対変位するのを防止できる。したがって、防護管１００の長手方向における何れの位置に設置しても、装着される電線Ｘに対して防護管１００が変位するのを防止できるため、設置する位置がフレキシブルに対応できる。
【００６０】
なお、本発明に係る防護管移動防止具は、上記した実施の形態に限定されるものではなく、本発明の要旨を逸脱しない範囲内において種々変更を加え得ることは勿論である。
【００６１】
例えば、上記第１実施形態に係る防護管移動防止具は、電線固定部１（防護管固定部２）を伸ばしながら電線Ｘ（防護管１００）に巻きつける場合を説明したが、かかる場合に限られず、一例として、図７に示すように、電線固定部１’は、弾性を有する一面部１ａ’及び他面部１ｂ’を備え、一面部１ａ’及び他面部１ｂ’間にガス（空気）を封入可能に構成される場合でもよい。
【００６２】
かかる構成によれば、図７（ａ）及び（ｂ）に示すように、一面部１ａ’及び他面部１ｂ’間にガスが封入され、電線固定部１’（一面部１ａ’及び他面部１ｂ’）が伸ばされた状態で電線Ｘに巻かれる。このとき、電線固定部１’（一面部１ａ’及び他面部１ｂ’）をさらに伸ばす必要はない。そして、固定手段１１’で固定することにより電線固定部１’を電線Ｘに巻きつけ（仮固定状態とし）、その後、当該ガスを排除することにより電線固定部１’ （一面部１ａ’及び他面部１ｂ’）を縮ませる。
【００６３】
すると、図７（ｃ）及び（ｄ）に示すように、ガスが封入されている状態と比較して、電線固定部１’（一面部１ａ’及び他面部１ｂ’）が縮むことになるが、無付加状態と比較して、電線固定部１’（一面部１ａ’及び他面部１ｂ’）が伸びた状態で電線Ｘに巻かれることになるため、縮もうとする弾性力により径方向内向きの力が発生し、その結果、電線固定部１’が電線Ｘに固定される（本固定状態となる）。
【００６４】
なお、かかる構成は、電線固定部１’に採用するだけでなく、防護管固定部に採用することもできる。また、一面部１ａ’及び他面部１ｂ’間からガスを抜くためのガス抜き弁を設ける場合でもよく、また、他面部１ｂ’に工具を用いて穴を開けることによりガスを抜く場合でもよい。
【００６５】
また、別の例として、電線固定部１''は、一面部１ａ''及び他面部１ｂ''を備え、電線Ｘに固定される際に、一面部１ａ''及び他面部１ｂ''間にガス（空気）を封入するように構成される場合でもよい。
【００６６】
かかる構成によれば、図８（ａ）及び（ｂ）に示すように、固定手段１１''で固定することにより電線固定部１''を電線Ｘに巻きつけ（仮固定状態とし）、その後、一面部１ａ''及び他面部１ｂ''間にガスを封入する。すると、図８（ｃ）及び（ｄ）に示すように、電線固定部１''が膨らむため、径方向内向きに押圧力が発生し、その結果、電線固定部１''が電線Ｘに固定される（本固定状態とする）。なお、かかる構成は、電線固定部１''に採用するだけでなく、防護管固定部に採用することもできる。
【００６７】
また、上記第１実施形態に係る防護管移動防止具は、第１固定手段１１及び第２固定手段１２が面ファスナである場合を説明したが、かかる場合に限られず、例えば、スナップ釦（衣服などの合わせ目に用いる凹凸２個一組の円形の小さな留め金具）である場合でもよく、一対の磁石である場合でもよい。
【００６８】
また、上記第１及び第２実施形態に係る防護管移動防止具は、全体が長尺な帯状又は紐状に形成される場合を説明したが、かかる場合に限られず、例えば、図９に示すように、長尺な細長い帯状（紐状）の電線固定部９１と、長尺な細長い帯状（紐状）の防護管固定部９２と、長尺な細長い帯状（紐状）に形成され、電線固定部９１と防護管固定部９２とを連結させる連結部９３とを備える場合でもよい。
【００６９】
かかる構成によれば、全体が略Ｈ字状に形成され、例えば、電線固定部９１及び防護管固定部９２を二つの結束バンドとし、各結束バンドを連結することにより、防護管移動防止具を形成することができる。
【００７０】
また、上記第２実施形態に係る防護管移動防止具は、防護管固定部７が防護管１００の貫通孔１０５を挿通する場合を説明したが、かかる場合に限られず、例えば、防護管固定部７が防護管１００の環状突起部１０６，１０６間に配置するように巻きつける場合でもよい。
【図面の簡単な説明】
【００７１】
【図１】本発明に係る防護管移動防止具に固定される防護管の全体図であって、（ａ）は正面図、（ｂ）はＡ−Ａ線における断面図を示す。
【図２】本発明の一実施形態に係る防護管移動防止具の全体図であって、（ａ）は平面図、（ｂ）は底面図を示す。
【図３】同実施形態に係る防護管移動防止具における、電線及び防護管に取り付けられる状態の全体図であって、（ａ）は正面図、（ｂ）はＢ−Ｂ線における断面図を示す。
【図４】同実施形態に防護管移動防止具における、電線及び防護管に取り付けられる状態を説明する要部概略断面図をそれぞれ示す。
【図５】本発明の他の実施形態に係る防護管移動防止具であって、（ａ）は全体正面図、（ｂ）はＤ領域における拡大断面図を示す。
【図６】同実施形態に防護管移動防止具における、電線及び防護管に取り付けられる状態を説明する側面図をそれぞれ示す。
【図７】本発明のさらに他の実施形態に係る防護管移動防止具における、（ａ）は仮固定状態の要部概略側面図、（ｂ）は仮固定状態の要部概略断面図、（ｃ）は本固定状態の要部概略側面図、（ｄ）は本固体状態の要部概略断面図を示す。
【図８】本発明のさらに他の実施形態に係る防護管移動防止具における、（ａ）は仮固定状態の要部概略側面図、（ｂ）は仮固定状態の要部概略断面図、（ｃ）は本固定状態の要部概略側面図、（ｄ）は本固体状態の要部概略断面図を示す。
【図９】本発明のさらに他の実施形態に係る防護管移動防止具における、（ａ）は全体正面図、（ｂ）は電線及び防護管に取り付けられる状態の全体側面図を示す。
【符号の説明】
【００７２】
１…電線固定部、２…防護管固定部、３…連結部、１１…第１固定部、２１…第２固定部、１００…防護管、１０１…切り目、Ｘ…電線
【図１】
2009296679.tif 000003
【図２】
2009296679.tif 000004
【図３】
2009296679.tif 000005
【図４】
2009296679.tif 000006
【図５】
2009296679.tif 000007
【図６】
2009296679.tif 000008
【図７】
2009296679.tif 000009
【図８】
2009296679.tif 000010
【図９】
2009296679.tif 000011